(57)【特許請求の範囲】
【請求項１】
定着ネジ通し孔が穿設された水平板部と、前記水平板部に取り付けられるカーテンレール
支持部と、前記水平板部の後端から垂直に下降する垂直板部とを備える本体と、壁面に当
接する両側板部と前記本体垂直板部に重合する垂直板部とを備える壁面用プレートとから
なるカーテンレール用ブラケットにおいて、前記本体垂直板部は、固定ネジ孔を備え、前
記壁面用プレート垂直板部は、前記固定ネジ孔と連通可能な２つの上下に並ぶネジ通し孔
を備えることを特徴としてなるカーテンレール用ブラケット。
【請求項２】
本体は、水平板部を挟む両側板部を備え、前記本体両側板部は、本体垂直板部から後方に
突出する後端部を有し、前記後端部は、前記壁面用プレート両側板部と上下摺動自在に嵌
合することを特徴としてなる請求項１に記載のカーテンレール用ブラケット。
【請求項３】
壁面用プレートを本体に固定する固定ネジは、本体垂直板部の前面から本体両側板部の後
端部前後幅よりも前方に長く突出することを特徴としてなる請求項２に記載のカーテンレ
ール用ブラケット。
【請求項４】
２つの上下に並ぶネジ通し孔は１つの長孔であることを特徴としてなる請求項１又は２に
記載のカーテンレール用ブラケット。
【発明の詳細な説明】
【技術分野】
【０００１】
本発明は、本体を天井面に取り付けすることも、壁面用プレートを介して本体を壁面に取り付けることもできるカーテンレール用ブラケットに関するものであり、本体は、図１に示すように、壁面用プレート下部に取り付けることも、図３に示すように、壁面用プレート上部に取り付けることも可能である。
【背景技術】
【０００２】
本体を天井面に取り付けすることも、壁面用プレートを介して壁面に取り付けることも可能なカーテンレール用ブラケットは、実用新案登録第３０７９３１４号公報により公知である。このブラケットは、本体とアングル形の壁面用プレートからなり、壁面用プレートの水平板部は、壁面用プレートの垂直板部が本体後端から垂下又は起立するように、本体の水平なアームに脱着自在にネジ止めされる。壁面用プレートを介して本体を壁面に取り付けるときは、本体後端から垂下又は起立する垂直板部を壁面に取り付ける。しかし、この公知ブラケットは、壁面用プレートの水平板部が平板状であるため、荷重が大きいと、曲げ変形してカーテンレールの高さが変わるという問題がある。
【特許文献１】実用新案登録第３０７９３１４号公報
【発明の開示】
【発明が解決しようとする課題】
【０００３】
本発明は、この問題を解決するためになされたものであり、その課題は、本体を天井面
に直接取付することも、壁面用プレートを介して壁面に取付することもできるカーテンレール用ブラケットであって、本体が壁面用プレートの上部にも下部にも取付け可能であり、かつ荷重が大きくても曲げ変形しないものを提供することである。
【課題を解決するための手段】
【０００４】
前記課題を達成するため、本発明が採用する手段は、定着ネジ通し孔が穿設された水平
板部と、水平板部に取り付けられるカーテンレール支持部と、水平板部の後端から垂直に
下降する垂直板部とを備える本体と、壁面に当接する両側板部と本体垂直板部に重合する
垂直板部とを備える壁面用プレートとからなるカーテンレール用ブラケットにおいて、本
体垂直板部には、固定ネジ孔を設け、壁面用プレート垂直板部には、固定ネジ孔と連通可
能な２つの上下に並ぶネジ通し孔を設けることを特徴とする。
【発明の効果】
【０００５】
本発明のブラケットは、本体から壁面用プレートを外して本体水平板部の定着ネジ通し
孔に定着ネジを通すと、本体の天井面直接取付が可能となる。壁面用プレートの上側のネ
ジ通し孔に固定ネジを通して壁面用プレートを本体から垂下するように本体に固定し、本
体の定着ネジ通し孔に定着ネジを通すと、本体の天井面取付が、壁面プレートの下側のネ
ジ通し孔に定着ネジを通すと、本体の壁面用プレート上部への取付がそれぞれ可能となる。壁面用プレートの下側のネジ通し孔に固定ネジを通して壁面用プレートを本体から上方に突出するように本体に固定し、壁面プレートの上側のネジ通し孔に定着ネジを通すと、本体の壁面用プレート下部への取付が可能となる。本体を壁面に取り付けたとき、壁面と当接する壁面用プレートの両側板部が補強となり、壁面用プレートの曲げ変形を規制するから、荷重が大きくても、カーテンレールの高さが変わるおそれはない。
【発明を実施するための最良の形態】
【０００６】
ブラケットの本体に水平板部を挟む両側板部を設け、その両側板部に本体垂直板部から
後方に突出する後端部を一体に形成し、その後端部に壁面用プレート両側板部を上下摺動
自在に嵌合させることにより、壁面用プレートの２つのネジ通し孔の一方と本体の固定ネ
ジ孔とを連通させる作業を容易にすることが好ましい。このとき、２つの上下に並ぶネジ
通し孔を連続して１つの長孔にすると、固定ネジを少し弛めるだけで、壁面用プレートを
本体垂直板部に沿って上下摺動させることができる。
【０００７】
壁面用プレートの２つのネジ通し孔は、一方を固定ネジ専用通し孔に、他方を定着ネジ
専用通し孔とすることができる。この場合、固定ネジを弛めた状態で、壁面用プレートを
本体垂直板部の後面上において固定ネジ孔と連通するネジ通し孔を中心に半回転させるこ
とができるように、固定ネジを長目にして本体垂直板部の前面から本体両側板部の後端部
前後幅よりも長く前方に突出させることが好ましい。
【実施例】
【０００８】
本発明のブラケットを図面に示す実施例１に基づいて説明する。図１及び図２は、実施
例１の本体の壁面用プレート下部への取付を示す側断面図及び底面図、図３及び図４は実施例１の本体の壁面用プレート上部への取付及び天井面直接取付をそれぞれ示す側面図である。
【０００９】
図１及び図２に示すように、ブラケット１は、本体２と、本体２とは別体の壁面用プレ
ート３とからなる。本体２の水平板部４には天井面に固定するための定着ねじを通す定着
ネジ通し孔５が穿設される。本体２の後端から垂下する垂直板部６には固定ネジ孔７が設
けられる。本体２の水平板部４と垂直板部６を両側から挟む両側板部８が設けられ、水平
板部４には止めねじ９を介してカーテンレール支持部１０が取り付けられる。
【００１０】
壁面用プレート３は、本体２の垂直板部６の後面に重合する垂直板部１１と壁面１７に
当接する両側板部１２を備える。壁面用プレート３の垂直板部１１には固定ネジ孔７と連
通可能な２つのネジ通し孔１３、１４が上下に穿設される。本体両側板部８は本体垂直板
部６から後方に突出して後端部１９を形成し、その後端部１９は壁面用プレート３の両側
板部１２に上下摺動自在に内嵌する。
【００１１】
壁面用プレート３の下側のネジ通し孔１４に通した固定ネジ１６により、本体２を壁面用プレート３の下部に取り付けると、図１に示すように、ブラケット１は壁面に沿って本体２から上に突出している壁面用プレート３の上側のネジ通し孔１３に通した定着ネジ１５により壁面１７に定着する。
【００１２】
壁面用プレート３を本体垂直板部６の後面に沿って下方に摺動し、固定ネジ１６を上側
のネジ通し孔１３に通して本体の固定ネジ孔７に締め付け、本体２を壁面用プレート３の上部に取り付けると、図３に示すように、ブラケット１は壁面１７に沿って本体２から垂下する壁面用プレート３の下側のネジ通し孔に通した定着ネジ１５により壁面１７に定着する。
【００１３】
本体２の水平板部４の定着ネジ通し孔５に通した定着ネジ１５を介して本体２を天井面
１８に定着すると、図４に示すように、ブラケット１の本体２は、定着ネジ１５により天
井面１８に直接取付される。このとき、鎖線で示すように、壁面用プレート３は取り外し
ても良い。このように、実施例１は、固定ネジ１６を外すと本体の取付方式を変更するこ
とができる。
【００１４】
次に、実施例２を図面に基づいて説明する。図５及び図６は、実施例２の側断面図及び
後面図、図７は、固定ネジを弛めた状態を示す底面図である。
【００１５】
図５に示すように、実施例２のブラケット１ａは、固定ネジ１６ａを除くと、実施例１
と全く同じである。固定ネジ１６ａは、実施例１のものよりも長く、本体２の垂直板部６
の前面からその後端部の前後幅より長く前方に突出する。
【００１６】
図７に示すように、ブラケット１ａの固定ネジ１６ａを弛めて壁面用プレート３の側板部１２を本体２の後端部１９よりも後方にずらせると、図６に矢印で示すように、壁面用プレート３は固定ネジ１６ａを中心に回動可能となる。そこで、壁面用プレート３を１８０度回転して上下を逆転し、ついで固定ネジ１６ａを締め付け固定すると、本体２の取付位置は壁面用プレート３の下部から上部へ変わる。このように、実施例２は、固定ネジ１６ａを弛めて壁面用プレート３を回すことにより、本体の取付位置を変更することができる。
【００１７】
次に、実施例３を図面に基づいて説明する。図８及び図９は、実施例３の側断面図及び
後面図である。
【００１８】
図８及び図９に示すように、実施例３のブラケット１ｂは、壁面用プレート３ｂのネジ
通し孔１３ｂを除くと、実施例１と全く同じである。ネジ通し孔１３ｂは、上下に延長す
る長孔であり、壁面の定着ネジ孔と本体の固定ネジ孔の双方に連通する。
【００１９】
固定ネジ１６を少し弛めると、壁面用プレート３ｂは本体の垂直板部に沿って上下に摺
動可能となる。そこで、壁面用プレート３ｂを本体から上へ摺動させて固定ネジ１６を締め付け固定すると、本体の壁面用プレート下部への取付となり、壁面用プレート３ｂを本体から垂下させて固定ネジ１６を締め付け固定すると、本体の壁面用プレート上部への取付となる。このように、実施例３は、固定ネジ１６を少し弛めて壁面用プレート３ｂを上下摺動することにより、本体の取付位置を変更することができる。
【図面の簡単な説明】
【００２０】
【図１】本発明実施例１の側断面図、本体の壁面用プレート下部への取付を示す。
【図２】実施例１の底面図、
【図３】実施例１の側面図、本体の壁面用プレート上部への取付を示す。
【図４】実施例１の天井面取付を示す側面図、
【図５】実施例２の側断面図、
【図６】実施例２の後面図、
【図７】実施例２の固定ネジを弛めた状態を示す底面図、
【図８】実施例３の側断面図、
【図９】実施例３の後面図、
【符号の説明】
【００２１】
１、１ａ、１ｂ：ブラケット
２：本体
３、３ｂ：壁面用プレート
４：水平板部
５：定着ネジ通し孔
６：垂直板部
７：固定ネジ孔
８：側板部
９：止めねじ
１０：カーテンレール支持部
１１：垂直板部
１２：側板部
１３、１３ｂ：ネジ通し孔
１４：ネジ通し孔
１５：定着ネジ
１６、１６ａ：固定ネジ
１７：壁面
１８：天井面
１９：後端部
【図１】
0004513462.tif 000002
【図２】
0004513462.tif 000003
【図３】
0004513462.tif 000004
【図４】
0004513462.tif 000005
【図５】
0004513462.tif 000006
【図６】
0004513462.tif 000007
【図７】
0004513462.tif 000008
【図８】
0004513462.tif 000009
【図９】
0004513462.tif 000010